(57)【特許請求の範囲】
【請求項１】
乗客コンベアのステップの幅方向の端部に隣接するとともに、前記ステップの移動方向に沿って延設されるスカートガードパネルに設けられ、前記移動方向に延びるとともに前記ステップに臨み、かつ前記スカートガードパネルから突出する凸状曲面と、前記凸状曲面とは反対側に形成された扁平面とを備える導光部材と、
前記導光部材の前記凸状曲面を除く面の少なくとも一部から前記導光部材を介して前記ステップを照明可能に設けられる光源と、を備え、
前記凸状曲面の表面には、導光された光を拡散させる拡散部材が備えられ、
前記拡散部材は、前記ステップのステップ面を照明する第一の照明量を前記ステップ面より上方の領域を照明する第二の照明量より大きくする、
スカートガードパネル照明装置。
【請求項２】
前記光源は、前記導光部材の下面に配置される、請求項１に記載のスカートガードパネル照明装置。
【請求項３】
前記扁平面には、導光された光を前記凸状曲面側に反射する反射部材を備えられる、請求項１または請求項２に記載のスカートガードパネル照明装置。
【発明の詳細な説明】
【技術分野】
【０００１】
本発明の実施形態は、スカートガードパネル照明装置に関する。
【背景技術】
【０００２】
従来、乗客コンベアであるエスカレータや移動歩道（所謂、動く歩道）等のなかには、乗客の安全性等に配慮して乗客の足元を照らすスカートガードパネル照明装置を設置したものがある。この種の照明装置は、例えば、移動するステップの両側の欄干の下部の内レッジの中に配置され、内レッジとスカートガードとの間、またはスカートガードの一部に透光性の樹脂板を嵌め込み、裏面側から蛍光灯等の光を当てて光らせるものがある。
【先行技術文献】
【特許文献】
【０００３】
【特許文献１】特開２００８−２４４９８号公報
【発明の概要】
【発明が解決しようとする課題】
【０００４】
近年、よりシンプルでスリム化された乗客コンベアの提供が求められている。したがって、スカートガード照明装置についても同様にシンプル化やスリム化ができれば、乗客コンベアのシンプル化やスリム化に寄与できて有意義である。また、乗客に、より認識されやすい照明が可能なスカートガードパネル照明装置が提供できれば、乗客がステップの端（スカートガード）に接近し過ぎないようにする注意喚起を行いやすく、安全性の向上が図れて有意義である。
【課題を解決するための手段】
【０００５】
実施形態のスカートガードパネル照明装置は、例えば、導光部材と光源とを備える。導光部材は、乗客コンベアのステップの幅方向の端部に隣接するとともに、ステップの移動方向に沿って延設されるスカートガードパネルに設けられ、移動方向に延びるとともにステップに臨み、かつスカートガードパネルから突出する凸状曲面と、凸状曲面とは反対側に形成された扁平面とを備える。光源は、導光部材の凸状曲面を除く面の少なくとも一部から導光部材を介してステップを照明可能に設けられる。凸状曲面の表面には、導光された光を拡散させる拡散部材が備えられる。拡散部材は、ステップのステップ面を照明する第一の照明量をステップ面より上方の領域を照明する第二の照明量より大きくする。
【図面の簡単な説明】
【０００６】
【図１】図１は、実施形態のスカートガードパネル照明装置を搭載可能な乗客コンベアの一例としてのエスカレータについて、下階から上階を見上げた状態を示す例示的かつ模式的な図である。
【図２】図２は、実施形態のスカートガードパネル照明装置を搭載可能な乗客コンベアの一例としてのエスカレータを示す例示的かつ模式的な側面図である。
【図３】図３は、実施形態のスカートガードパネル照明装置及びその周辺構造を示す例示的かつ模式的な断面図である。
【図４】図４は、実施形態のスカートガードパネル照明装置の導光部材及び拡散部材と反射部材の配置状態を示す例示的かつ模式的な断面図である。
【図５】図５は、実施形態のスカートガードパネル照明装置の導光部材のエスカレータの進行方向に沿う湾曲形状を示す例示的かつ模式的な図である。
【発明を実施するための形態】
【０００７】
以下に、実施形態に係るスカートガードパネル照明装置を図面に基づいて詳細に説明する。なお、この実施形態における構成要素には、当業者が置換可能、且つ、容易なもの、或いは実質的に同一のものが含まれ、以下の実施形態によりこの発明が限定されるものではない。
【０００８】
＜実施形態＞
図１は、実施形態のスカートガードパネル照明装置を搭載可能な乗客コンベアの一例としてのエスカレータ１０であり、下階から上階を見上げた状態を示す例示的かつ模式的な図である。また、図２は、図１のエスカレータ１０を示す例示的かつ模式的な側面図である。
【０００９】
図１及び図２において、エスカレータ１０は、複数のステップ１２（踏み段ともいう）を無端状に連結して、これを周回駆動させることで移動路１４を構成している。この移動路１４に対する乗降部１６（移動路１４の進行方向前方（上階部）及び後方（下階部）の床面）には、乗降板１８が設けられている。乗降部１６の床下には、移動路１４を周回駆動するための駆動機構（不図示）を収容する床下空間２０（図２参照）が形成されている。駆動機構は、モータ、減速機などを介して回転駆動される駆動側のスプロケットおよび従動側のスプロケットとの間に掛け渡される駆動チェーンなどで構成される。そして、駆動チェーンに連結された複数のステップ１２を周回駆動することで移動路１４を移動状態として、ステップ１２に乗る乗客や荷物を上階と下階との間で運搬する。この駆動機構を収容する床下空間２０は建物の上下階に渡って設けられるトラス（構造フレーム（不図示）によって画成されている。そして、駆動機構等は、トラスによって支持及び固定されている。なお、乗降板１８は、乗降部１６の部分で開口した床下空間２０の開口部を覆い、例えばボルト１８ａ等で固定され、床下空間２０の開口部を閉塞している。乗降板１８は、例えば、エスカレータ１０のメンテナンス等の際でエスカレータ１０の運行が中止されている場合に取り除かれ、メンテナンス作業等を実行可能にする。
【００１０】
図１に示されるように、ステップ１２の幅方向（移動路１４の移動方向と略直行する方向）の両側に隣接する位置には、ステップ１２の移動方向に沿って延設されるスカートガードパネル２２、及び欄干２４を挟んでステップ１２側でスカートガードパネル２２の上部を覆うインナーデッキカバー２６が設けられている。スカートガードパネル２２及びインナーデッキカバー２６等で覆われる空間ＳＰ（図３参照）には、欄干２４を支持する構造物や欄干２４の周囲をステップ１２の移動と同期して移動する移動手すり２４ａの移動機構等が収容されるとともに、移動手すり２４ａの移動空間等が形成されている。なお、欄干２４における移動手すり２４ａの下部には、強化ガラス等のガラスパネルやステンレス鋼等の金属パネルが配置され、ステップ１２が移動する移動路１４をその外側の領域を分離し、移動路１４としての空間を画成している。
【００１１】
本実施形態１０は、移動路１４の移動方向に延びるとともにステップ１２に臨み、移動路１４を照明するスカートガードパネル照明装置Ｍを備える。スカートガードパネル照明装置Ｍは、例えば、図１、図２に示されるように、移動路１４移動方向に延びるとともにステップ１２に臨み、かつスカートガードパネル２２から突出する凸状曲面を備える導光部材２８を備える。導光部材２８の一部には、光源、例えば、ＬＥＤ（Light  Emitting  Diode）の発光面が接続され、導光部材２８の内部を導光された光が移動路１４の照明を行う。なお、スカートガードパネル照明装置Ｍによって照射される光は、ステップ１２に乗る乗客の足元を照らして足元の安産性を向上させることを主目的とし、オレンジ色等の暖色系や白色等の寒色系の色を採用し得る。また、エンターテイメント性を向上させるために、赤色や黄色、青色、緑色等の色を採用することもできる。
【００１２】
図３は、スカートガードパネル照明装置Ｍを構成する導光部材２８、光源３０の配置例及びスカートガードパネル照明装置Ｍの周辺構造を示す例示的かつ模式的な断面図である。
【００１３】
上述したように、スカートガードパネル照明装置Ｍは、スカートガードパネル２２及びインナーデッキカバー２６等で形成される空間、すなわち、欄干２４の下方の空間ＳＰに収容されている。
【００１４】
例えば、エスカレータ１０が設置される建物の上下階に渡って設けられる鋼材等で構成されるトラス３２にスペーサ３４を介して、欄干２４を支持するためのブラケット３６がボルト３８等の締結具によって固定されている。ブラケット３６もまた、鋼材等で構成されている。ブラケット３６は、欄干２４に沿って下階から上階に向けて配置される、例えばガラスパネル２４ｂを支持する欄干支持部３６ａ、インナーデッキカバー２６を支持するインナーデッキカバー支持部３６ｂ及び欄干２４を挟んで逆側のアウターデッキカバー４０を支持するアウターデッキカバー支持部３６ｃ等を備える。ブラケット３６は、欄干２４の長手方向（ステップ１２の移動方向）に沿って、ガラスパネル２４ｂの下端の全体を支持するような長尺の部材であってもよいし、ガラスパネル２４ｂの一部を複数の位置（例えば、１ｍ間隔）で支持するブロック形状の部材であってもよい。
【００１５】
ブラケット３６の欄干支持部３６ａは、図３に示されるように、断面略Ｖ字形状で欄干２４の長手方向に延在する溝部３６ａ１を備える。ガラスパネル２４ｂは、下端に緩衝部材２４ｂ１が介在させられた状態で、下端領域を保護シート部材２４ｂ２で覆われて溝部３６ａ１に配置される。そして、溝部３６ａ１とガラスパネル２４ｂ（保護シート部材２４ｂ２）との間に断面略三角形状の楔部材４２を打ち込むことにより、ガラスパネル２４ｂは、ブラケット３６に固定されるとともに支持される。
【００１６】
インナーデッキカバー支持部３６ｂは、カバー支持プレート３６ｂ１を備え、当該カバー支持プレート３６ｂ１を覆うように、意匠プレート（化粧プレート）としてのインナーデッキカバー２６がボルト４４等の締結部材によって固定される。インナーデッキカバー２６は、例えば、ステンラス鋼板等の金属板を曲げ加工して形成することができる。
【００１７】
アウターデッキカバー４０もまたステンレス鋼板等の金属板を曲げ加工して形成することができる。アウターデッキカバー４０の裏面には、断面略Ｃ字形状の脚部４０ａが例えば溶接等の接合手段を用いて接続されている。脚部４０ａの中空の内部空間には、ねじ部４６ａを備える固定プレート４６が挿入されている。ねじ部４６ａは、脚部４０ａの開口部４０ａ１から突出し、アウターデッキカバー支持部３６ｃに形成された切欠き部３６ｃ１を通に挿入される。そして、ねじ部４６ａは、アウターデッキカバー支持部３６ｃの裏面側でナット４８と螺合する。したがって、固定プレート４６を介して脚部４０ａとアウターデッキカバー支持部３６ｃとが共締めされて、アウターデッキカバー４０がアウターデッキカバー支持部３６ｃに固定される。
【００１８】
スカートガードパネル２２もまたステンレス鋼板等の金属板で構成可能な意匠プレート（化粧プレート）であり、裏面にねじ部５０が溶接等の接合手段によって接続されている。そして、ねじ部５０がトラス５２の一部に形成された切欠き部（不図示）に挿入され、ナット５４等の締結部材によって、固定されている。
【００１９】
また、スカートガードパネル２２の上部裏面には、図３に示されるように、導光部材２８の一部を例えばスカートガードパネル２２の上端部２２ａからステップ１２側に突出させるように支持するブラケット５６が設けられている。ブラケット５６は、第１ブラケット５６ａと第２ブラケット５６ｂとで構成されている。第１ブラケット５６ａは、導光部材２８の下端側を支持して上下方向の位置決め及び固定を行う。第２ブラケット５６ｂは、スカートガードパネル２２の裏面に導光部材２８の一部を挟み込むことで、当該導光部材２８のステップ１２の幅方向の位置決め及び固定を行う。なお、導光部材２８の上端側には、当該導光部材２８の上端部とインナーデッキカバー２６の下端部との間に挟み込まれるパッキン部材５８が装着され、導光部材２８をスカートガードパネル２２とインナーデッキカバー２６とによって支持している。パッキン部材５８は、例えば、合成樹脂やゴム等の材料の他金属等によって形成することができる。
【００２０】
図４には、導光部材２８及びその周辺の部材の例示的かつ模式的な拡大断面図が示されている。導光部材２８は、例えば、アクリル樹脂等の透光性を有する材料を削り出しや金型成形等によって形成される部品であり、例えば、図１に示されるようにステップ１２の移動方向に延びる長尺の部品である。なお、導光部材２８におけるステップ１２の移動方向の長さは、導光部材２８の製造設備の能力や導光部材２８の保管や運搬等の取扱い性を考慮して、例えば、１ｍ程度として、移動路１４の長さに応じてステップ１２の移動方向に繋ぎ合わせてもよいし、一体化した長尺の部品として形成してもよい。また、導光部材２８は、図２に示されるように、乗降部１６に近い位置で湾曲した湾曲導光部材２８ｒと、下階側の湾曲導光部材２８ｒと上階側の湾曲導光部材２８ｒとの間に挟まれた直線導光部材２８ｓとで構成されている。湾曲導光部材２８ｒと直線導光部材２８ｓとを分離して形成してもよい。また，この場合、図５に示されるように、湾曲導光部材２８ｒを長尺の１本の長尺湾曲導光部材２８ｒＬとしてもよいし、湾曲導光部材２８ｒをさらに複数に分割した短尺湾曲導光部材２８ｒＳとしてもよい。導光部材２８を長尺の連続した構造とすることで照明時の繋ぎ目が現れにくく、高品質の照明が可能となる。一方、導光部材２８を分割した構造とすることにより、エスカレータ１０の仕様ごとの導光部材２８の湾曲形状に対応しやすく、また導光部材２８の製造が長尺のものに比べて容易になるとともに、保管や運搬も容易になるというメリットがある。なお、図５に示されるように、湾曲導光部材２８ｒは、一定の長さを有するので、光源３０（ＬＥＤ等）を一定の間隔で配置した場合でも、それぞれの光源３０からの光が混ざり合い照度の均一化が可能である。その結果、湾曲導光部材２８ｒを繋ぎ併せた場合でも、繋ぎ目で照度のばらつきが現れにくく、安定した照明を行うことができる。直線導光部材２８ｓについても同様である。
【００２１】
導光部材２８は、図４に示されるように、ブラケット５６により支持される下端導光部２８ａ、スカートガードパネル２２からステップ１２側の突出する凸状曲面を形成する露出導光部２８ｂ、パッキン部材５８により支持される上端導光部２８ｃ、及び凸状曲面とは反対側に形成された扁平面を形成する背面導光部２８ｄとで構成されている。
【００２２】
導光部材２８に対して、露出導光部２８ｂの凸状曲面を除く面の少なくとも一部に、光が入射して導光部材２８（露出導光部２８ｂ）を介してステップ１２側を照明できるような位置に光源３０が設けられている。図４の場合、光源３０は、下端導光部２８ａに発光面が僅かな隙間を介して対向配置されている。図４では、図示を省略しているが、下端導光部２８ａと光源３０とは、例えば、カバー（金属や樹脂のブラケット）により一体化されている。なお、光源３０と導光部材２８（下端導光部２８ａ）との間に隙間を設けることなく接続してもよい。下端導光部２８ａは、スカートガードパネル２２とブラケット５６とによって安定して支持可能なように支持面が扁平面を有する矩形とすることができる。
【００２３】
光源３０は、例えば、フレキシブル基板上に複数のＬＥＤ素子が配列されたもので、下階から上階に延びる長尺の発光帯である。なお、導光部材２８が複数に分割される場合、その分割位置で光源３０が分割されてもよいし、導光部材２８の分割とは関係なく、適宜分割されてもよい。光源３０から照射された光は、導光部材２８の内部を複数回反射することにより、露出導光部２８ｂの凸状曲面か出射されステップ１２を照明する。なお、図３では、図示を省略しているが、光源３０には、電源及び発光制御部が接続されている。光源３０は、エスカレータ１０の運行可能時に常時発光させてもよいし、運行時間帯によって、輝度（照度）を変化させてもよい。また、乗客が移動路１４を含む所定の領域に進入した場合に、ステップ１２が移動する乗客検出制御を実行可能なエスカレータ１０がある。この場合、ステップ１２の移動の有無に対応して光源３０の点灯と消灯を制御するようにしてもよい。
【００２４】
導光部材２８は、前述したように、ステップ１２側にスカートガードパネル２２から突出形成された露出導光部２８ｂを備える。したがって、光源３０から出射され、下端導光部２８ａを含む導光部材２８の内部を導光された光源３０の光は、露出導光部２８ｂの凸状曲面の形状に応じて放射状に出射される。その結果、ステップ１２を広範囲に照明することが可能になる。なお、露出導光部２８ｂの凸状曲面の表面には、導光された光を拡散させる拡散部材６０が設けられている。拡散部材６０は、例えば、ドット柄の印刷や凹凸加工等を施した透光性のシートで構成することが可能で、露出導光部２８ｂに導光された光をより広範囲に拡散する。また、拡散部材６０は、ドット柄のパターンや凹凸の形成パターンによって、光の拡散方向を調整することができる。例えば、ステップ１２のステップ面を照明する第一の照明量Ｌ１をステップ面より上方の領域を照明する第二の照明量Ｌ２より大きくし得る。ステップ１２を照明する第一の照明量Ｌ１を第二の照明量Ｌ２より相対的に大ききして照度を高めることにより、ステップ１２に乗る乗客の足元をより見えやすくすることができる。つまり、ステップ１２上における立ち位置をより認識させやすくして安全性の向上に寄与できる。例えば、スカートガードパネル２２やステップ１２のけあげ部分であるライザーに対する立ち位置の確認をより容易に行わせ易くすることができる。また、第二の照明量Ｌ２を第一の照明量Ｌ１より相対的に小さく（暗く）することにより、ステップ１２に乗った乗客に眩しさを与えにくくすることができる。
【００２５】
また、露出導光部２８ｂをスカートガードパネル２２の表面からステップ１２側に一定量突出させて、光らせることにより、スカートガードパネル２２に接近し過ぎないように注意喚起することができる。なお、拡散部材６０は、コーテングや蒸着等によって形成してもよい。また、第一の照明量Ｌ１と第二の照明量Ｌ２の調整は、露出導光部２８ｂの形状を調整することによって行ってもよい。この場合、拡散部材６０を省略してもよい。
【００２６】
なお、上端導光部２８ｃは、パッキン部材５８との係合のために小形の突起形状としているが、例えば、上端導光部２８ｃ側に光源３０を配置することも可能で、この場合には、下端導光部２８ａと同様に、上端導光部２８ｃを幅広の矩形形状としてもよい。光源３０は、背面導光部２８ｄに接続してもよいが、光を出射させる露出導光部２８ｂに対面しない下端導光部２８ａや上端導光部２８ｃに配置することにより、光源３０の光が直接露出導光部２８ｂから出射することが回避できる。つまり、露出導光部２８ｂからは間接光を出射させることが可能になる。光源３０を背面導光部２８ｄ以外に配置することで、例えば、露出導光部２８ｂの一部がスポット的に明るくなってしまうことを回避しやすくすることができる。
【００２７】
また、本実施形態の場合、背面導光部２８ｄの表面は、導光部材２８の内部を導光された光を凸状曲面側に反射する反射部材６２を備える。反射部材６２は、不透光性のシートとしてもよいし、鏡面シートとしてもよい。背面導光部２８ｄを扁平面とすることで、反射部材６２の配置が容易になるとともに、光漏れを行い易くなる。背面導光部２８ｄの表面に反射部材６２を形成することにより、光源３０から出射された光を効率的に露出導光部２８ｂに導き、ステップ１２側に出射させることができる。なお、導光部材２８は、コーテングや蒸着等によって形成してもよい。
【００２８】
このように、本実施形態のスカートガードパネル照明装置Ｍは、導光部材２８と光源３０を備える。導光部材２８は、エスカレータ１０のステップ１２の幅方向の端部に隣接するとともに、ステップ１２の移動方向に沿って延設されるスカートガードパネル２２に設けられる。そして、導光部材２８は、移動方向に延びるとともにステップ１２に臨み、かつスカートガードパネル２２から突出する凸状曲面と、凸状曲面とは反対側に形成された扁平面とを備える。光源３０は、導光部材２８の凸状曲面を除く面の少なくとも一部から導光部材２８を介してステップ１２を照明可能に設けられる。この構成によれば、ステップ１２に臨み、かつスカートガードパネル２２から突出する凸状曲面により、例えば、ステップ１２を照明する場合に光源からの光をステップ１２側の広範囲に拡散させることが可能になる。その結果、例えば、導光部材２８の露出が小さく場合でも、ステップ１２を効果的に照明することができる。また、導光部材２８の小型化により、導光部材２８を支持する支持構造の小型化や簡略化が可能となり、スカートガードパネル照明装置Ｍ全体としての小型化に寄与できる。したがって、スカートガードパネル照明装置Ｍの配置スペースの狭小化が可能になる。その結果、例えば、狭幅型のエスカレータで、図３における空間ＳＰも狭いタイプのエスカレータにも、スカートガードパネル照明装置Ｍの適用が可能になる。つまり、標準型、狭幅型に拘わらず共通のスカートガードパネル照明装置Ｍの適用が可能になる。したがって、スカートガードパネル照明装置Ｍの汎用性を向上させることができる。
【００２９】
また、本実施形態のスカートガードパネル照明装置Ｍの光源３０は、例えば、導光部材２８の下面に配置されてもよい。この構成によれば、スカートガードパネル照明装置Ｍのステップ１２の幅方向のサイズ低減に寄与することができる。その結果、標準型、狭幅型に拘わらずスカートガードパネル照明装置Ｍの適用がさらにし易くなる。
【００３０】
なお、上述したスカートガードパネル照明装置Ｍは、エスカレータ１０に適用する場合を説明した。他の実施形態としては、乗客コンベアの他の例として例えば移動歩道（所謂、動く歩道）に、上述したスカートガードパネル照明装置Ｍを適用することも可能で、同様の効果を得ることができる。また、移動路１４の一部でステップ１２が水平に移動したり、移動路１４の途中で上りと下りが混在したりするよう乗客コンベアにも適用可能であり、同様効果を得ることができる。また、図３、図４に示す例では、導光部材２８をスカートガードパネル２２の上端部から突出（露出）させる例を示した。他の実施形態では、スカートガードパネル２２の高さ方向の間の位置から導光部材２８を突出（露出）させるようにしてもよく、同様の効果を得ることができる。
【００３１】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３２】
１０…エスカレータ、１２…ステップ、１４…移動路、１６…乗降部、１８…乗降板、２２…スカートガードパネル、２４…欄干、２４ｂ…ガラスパネル、２６…インナーデッキカバー、２８…導光部材、２８ａ…下端導光部、２８ｂ…露出導光部、２８ｃ…上端導光部、２８ｄ…背面導光部、２８ｒ…湾曲導光部材、２８ｒＬ…長尺湾曲導光部材、２８ｒＳ…短尺湾曲導光部材、３０…光源、３２…トラス、６０…拡散部材、６２…反射部材、Ｍ…スカートガードパネル照明装置。
【要約】
【課題】シンプル化やスリム化が実現できるとともに、乗客に、より認識されやすい照明が可能なスカートガードパネル照明装置を提供する。
【解決手段】スカートガードパネル照明装置は、例えば、導光部材と光源とを備える。導光部材は、乗客コンベアのステップの幅方向の端部に隣接するとともに、ステップの移動方向に沿って延設されるスカートガードパネルに設けられ、移動方向に延びるとともにステップに臨み、かつスカートガードパネルから突出する凸状曲面と、凸状曲面とは反対側に形成された扁平面とを備える。光源は、導光部材の凸状曲面を除く面の少なくとも一部から導光部材を介してステップを照明可能に設けられる。
【選択図】図４【図１】
0006864065.tif 000002
【図２】
0006864065.tif 000003
【図３】
0006864065.tif 000004
【図４】
0006864065.tif 000005
【図５】
0006864065.tif 000006